(57)【要約】【課題】本考案は耐力壁を用いずに耐震構造と成すと共に屋根裏空間部と１階空間部が有効に使用できる合掌造り風木造小住宅を提供することを目的とする。【解決手段】所定本数の柱１と、該柱１の間に架け渡された梁２と、を少なくとも有した１階空間部Ａと、柱１の上端部に合掌梁３を取付けて少なくとも構成された屋根裏空間部Ｂと、から成されたものであって、柱１と梁２が交わる各隅部分に、上方へ湾曲された方杖４を取付け、合掌梁３の両隅部分と梁２との間にリブ壁５を取付けて木造軸組が補強された木造小住宅と成す。又、屋根裏空間部Ｂの断面形状を三角形状と成し、且つ、リブ壁５の形状を略三角形状としたものとしても良い。【選択図】図１
0003199070.tif 000002
【実用新案登録請求の範囲】
【請求項１】
所定本数の柱（１）と、該柱（１）の間に架け渡された梁（２）と、を少なくとも有した１階空間部（Ａ）と、前記柱（１）の上端部に合掌梁（３）を取付けて少なくとも構成された屋根裏空間部（Ｂ）と、から成されたものであって、前記柱（１）と前記梁（２）が交わる各隅部分に、上方へ湾曲された方杖（４）を取付け、前記合掌梁（３）の両隅部分と前記梁（２）との間にリブ壁（５）を取付けて木造軸組が補強されたことを特徴とする合掌造り風木造小住宅。
【請求項２】
前記屋根裏空間部（Ｂ）の断面形状が三角形状であり、且つ、前記リブ壁（５）の形状が略三角形状である請求項１記載の合掌造り風木造小住宅。
【考案の詳細な説明】
【技術分野】
【０００１】
本考案は屋根裏空間部と１階空間部が有効に使用できる屋根裏部屋付き平屋建小住宅、特には合掌造り風木造小住宅に関する。
【背景技術】
【０００２】
一般に木造軸組の木造小住宅の耐震補強構造としては、図１、図２に示す正面側では２点鎖線で示す耐力壁が取付けられており、側面側の１階空間部では２点鎖線で示す耐力壁が図４のように複数取付けられ、また側面側の屋根裏空間部では２点鎖線で示す耐力壁が図５のように略中央に取付けられる。このため、１階空間部と屋根裏空間部に耐力壁が突出するため、各空間部は間取り等の機能に著しい支障が生じ、使用しにくいものとなっていた。又、耐力壁が空間部に有るので、耐力壁に合せた制約の多い間取りとなり、効率的な間取りが行えず、経済性が悪いものとなっていた。
【０００３】
尚、木造屋根小屋梁の補強構造としては、特開２００４−１４３８４８が提案されている。この構造は、本願と異なるので詳細な説明は省略する。
【先行技術文献】
【特許文献】
【０００４】
【特許文献１】特開２００４−１４３８４８号公報
【考案の概要】
【考案が解決しようとする課題】
【０００５】
本考案は耐力壁を用いずに耐震構造と成すと共に屋根裏空間部と１階空間部が有効に使用できる合掌造り風木造小住宅を提供することを目的とする。
【課題を解決するための手段】
【０００６】
本考案は上記現状に鑑み成されたものであり、つまり、所定本数の柱と、該柱の間に架け渡された梁と、を少なくとも有した１階空間部と、柱の上端部に合掌梁を取付けて少なくとも構成された屋根裏空間部と、から成されたものであって、柱と梁が交わる各隅部分に、上方へ湾曲された方杖を取付け、合掌梁の両隅部分と梁との間にリブ壁を取付けて木造軸組が補強された木造小住宅と成す。又、屋根裏空間部の断面形状を三角形状と成し、且つ、リブ壁の形状を略三角形状としたものとしても良い。
【考案の効果】
【０００７】
請求項１のように所定本数の柱（１）と、該柱（１）の間に架け渡された梁（２）と、を少なくとも有した１階空間部（Ａ）と、柱（１）の上端部に合掌梁（３）を取付けて少なくとも構成された屋根裏空間部（Ｂ）と、から成されたものであって、柱（１）と梁（２）が交わる各隅部分に、上方へ湾曲された方杖（４）を取付け、合掌梁（３）の両隅部分と梁（２）との間にリブ壁（５）を取付けて木造軸組が補強されることにより、従来必要であった耐力壁が不要となり、突出する耐力壁のない１階空間部（Ａ）及び屋根裏空間部（Ｂ）となるため、１階空間部（Ａ）及び屋根裏空間部（Ｂ）を有効利用できると共に間取りが効率的に行え、経済性も良いものとなる。しかも梁（２）の太さが半減されるので、建築費が安価になる。
【０００８】
請求項２のように屋根裏空間部（Ｂ）の断面形状を三角形状に成し、且つ、リブ壁（５）の形状を略三角形状とすることにより、合掌造り風木造小住宅が、安価で且つ有効利用可能なものとなる。
【図面の簡単な説明】
【０００９】
【図１】本考案の実施形態の要部を示す説明図である。
【図２】別実施形態の要部を示す説明図である。
【図３】本実施形態の耐震補強構造の要部を示す説明図である。
【図４】図１のＸ―Ｘ線に沿った断面を示す説明図である。
【図５】図１のＹ―Ｙ線に沿った断面を示す説明図である。
【考案を実施するための形態】
【００１０】
本考案の実施形態を図１に基づいて説明する。（１）は合掌造り風木造小住宅の１階空間部（Ａ）に立設された所定本数の柱である。図中の正面側の柱（１）は、２間〜３間の間隔であり、図３に示す側面側に於いては、柱（１）が１間（１８２０ｍｍ）の間隔で所定本数立設されている。
【００１１】
（２）は柱（１）の間に架け渡された梁であり、該梁（２）は従来工法で使用されるものよりも半分程度の太さのものを用いる。
【００１２】
（３）は合掌造り風木造小住宅の屋根裏空間部（Ｂ）に設けられ、且つ、柱（１）の上端部に取付けた合掌梁であり、該合掌梁（３）は従来工法で使用されるものと同程度のものを用いる。尚、前記合掌梁（３）の傾斜角度としては、約４５度前後とするのが好ましが、この角度に限定されるものではない。
【００１３】
（４）は柱（１）と梁（２）が交わる各隅部分に取付けられると共に、上方へ湾曲する方杖であり、該方杖（４）としては、鉄製や木製のものを用いる。この方杖（４）は、カットティー鋼又は集成材を使用し、コーチボルトを用いて柱（１）と梁（２）に方杖（４）が取付けられている。
【００１４】
（５）は合掌梁（３）下部の各隅部分と梁（２）との間に取付けたリブ壁であり、該リブ壁（５）は略三角形状の合板張を用いる。
【００１５】
尚、図２に於けるリブ壁（５）は、傾斜部を有した四角形状であり、この時の屋根裏空間部（Ｂ）は図１に対して、２階の基準線（２ＳＬ）と屋根裏部屋の基準線（ＲＳＬ）の間隔（Ｌ）が約５００ｍｍ前後ずらしたものである。
【００１６】
次に本考案の作用について説明する。本考案は、１階上部に取付けた方杖（４）と、２階両端下部に取付けたリブ壁（５）と、によって木造軸組が補強されているため、図４に示すように、従来の如き耐力壁がない１階空間部（Ａ）が得られ、１階空間部（Ａ）を有効利用できると共にその間取りが任意に行え、且つ、効率的で経済性の良いものとなる。
【００１７】
また図５に示すように、従来の如き邪魔な耐力壁が中央にない屋根裏空間部（Ｂ）が得られるため、その間取りが効率的に行え、屋根裏空間部（Ｂ）の有効利用ができるものとなるのである。
【００１８】
更に梁（２）はその両端部が方杖（４）で支えられているため、その梁（２）のスパンは、その領域分小さくなると考えられると共に、梁（２）はリブ壁（５）によって吊下する力が作用するため、梁（２）の太さが、従来工法で使用されるものよりも半分程度の太さのもので済み、建築費が安価になり、木造小住宅が手に入れ易いものとなる。
【符号の説明】
【００１９】
Ａ  １階空間部
Ｂ  屋根裏空間部
１  柱
２  梁
３  合掌梁
４  方杖
５  リブ壁
【図１】
0003199070.tif 000003
【図２】
0003199070.tif 000004
【図３】
0003199070.tif 000005
【図４】
0003199070.tif 000006
【図５】
0003199070.tif 000007